【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
車内ネットワークを介して、モードをコンテンツデータを再生するモードに設定するコマンド情報を受信し、
受信した前記コマンド情報に応じて、前記モードを前記コンテンツデータを再生するモードに設定し、
前記コンテンツデータを前記車内ネットワークとは異なる通信から受信し、
受信した前記コンテンツデータを再生し、
前記コンテンツデータを再生するモードに設定したことを示す情報を車載装置に備えられた表示部に表示させる
車載装置。
【請求項２】
前記コンテンツデータは音楽データである
請求項１に記載の車載装置。
【請求項３】
前記コンテンツデータはストリーミング音楽データである
請求項１に記載の車載装置。
【請求項４】
前記通信は無線通信ネットワークである
請求項１に記載の車載装置。
【請求項５】
前記通信は有線通信ネットワークである
請求項１に記載の車載装置。
【請求項６】
前記コマンド情報に応じて、前記コンテンツデータを再生するモードにおける入力音源を設定する
請求項１に記載の車載装置。
【請求項７】
前記入力音源は、少なくともBluetoothを介して入力される音源を含む
請求項６に記載の車載装置。
【請求項８】
前記入力音源は、ＵＳＢ、またはＬＡＮのいずれかを介して入力される音源含む
請求項６に記載の車載装置。
【請求項９】
車内ネットワークを介して、モードをコンテンツデータを再生するモードに設定するコマンド情報を受信し、
受信した前記コマンド情報に応じて、前記モードを前記コンテンツデータを再生するモードに設定し、
前記コンテンツデータを前記車内ネットワークとは異なる通信から受信し、
受信した前記コンテンツデータを再生し、
前記コンテンツデータを再生するモードに設定したことを示す情報を車載装置に備えられた表示部に表示させる
車載装置の制御方法。
【請求項１０】
車内ネットワークを介して、モードをコンテンツデータを再生するモードに設定するコマンド情報を受信し、
受信した前記コマンド情報に応じて、前記モードを前記コンテンツデータを再生するモードに設定し、
前記コンテンツデータを前記車内ネットワークとは異なる通信から受信し、
受信した前記コンテンツデータを再生し、
前記コンテンツデータを再生するモードに設定したことを示す情報を車載装置に備えられた表示部に表示させる
車載装置の制御方法をコンピュータに実行させる制御プログラム。
【請求項１１】
車内ネットワークを介して、モードをコンテンツデータを再生するモードに設定するコマンド情報を受信し、
受信した前記コマンド情報に応じて、前記モードを前記コンテンツデータを再生するモードに設定し、
前記コンテンツデータを前記車内ネットワークとは異なる通信から受信し、
受信した前記コンテンツデータを再生し、
前記コンテンツデータを再生するモードに設定したことを示す情報を車載装置に備えられた表示部に表示させる車載装置に対して、前記車内ネットワークとは異なる前記通信を介して前記コンテンツデータを送信する通信部を備える
端末装置。
【請求項１２】
前記車載装置から、前記車内ネットワークとは異なる通信を介して前記車載装置に前記コンテンツデータを送信するようよう制御させるコマンドを受信し、前記コマンドに応じて前記車載装置に前記コンテンツデータを送信する
請求項１１に記載の端末装置。
【請求項１３】
前記コンテンツデータは音楽データである
請求項１１に記載の端末装置。
【請求項１４】
前記コンテンツデータはストリーミング音楽データである
請求項１１に記載の端末装置。
【請求項１５】
前記通信は無線通信ネットワークである
請求項１１に記載の端末装置。
【請求項１６】
前記通信は有線通信ネットワークである
請求項１１に記載の端末装置。
【請求項１７】
前記コマンド情報に応じて、前記コンテンツデータを再生するモードにおける入力音源を設定する
請求項１１に記載の端末装置。
【請求項１８】
前記入力音源は、少なくともBluetoothを介して入力される音源を含む
請求項１７に記載の端末装置。
【請求項１９】
前記入力音源は、ＵＳＢ、またはＬＡＮのいずれかを介して入力される音源含む
請求項１７に記載の端末装置。
【請求項２０】
車内ネットワークを介して、モードをコンテンツデータを再生するモードに設定するコマンド情報を受信し、
受信した前記コマンド情報に応じて、前記モードを前記コンテンツデータを再生するモードに設定し、
前記コンテンツデータを前記車内ネットワークとは異なる通信から受信し、
受信した前記コンテンツデータを再生し、
前記コンテンツデータを再生するモードに設定したことを示す情報を車載装置に備えられた表示部に表示させる車載装置に対して、前記車内ネットワークとは異なる前記通信を介して前記コンテンツデータを送信する
端末装置の制御方法。
【請求項２１】
車内ネットワークを介して、モードをコンテンツデータを再生するモードに設定するコマンド情報を受信し、
受信した前記コマンド情報に応じて、前記モードを前記コンテンツデータを再生するモードに設定し、
前記コンテンツデータを前記車内ネットワークとは異なる通信から受信し、
受信した前記コンテンツデータを再生し、
前記コンテンツデータを再生するモードに設定したことを示す情報を車載装置に備えられた表示部に表示させる車載装置に対して、前記車内ネットワークとは異なる前記通信を介して前記コンテンツデータを送信する
端末装置の制御方法をコンピュータに実行させる制御プログラム。
【手続補正２】
【補正対象書類名】明細書
【補正対象項目名】発明の名称
【補正方法】変更
【補正の内容】
【発明の名称】車載装置、車載装置の制御方法、制御プログラム、端末装置、端末装置の制御方法および制御プログラム
【手続補正３】
【補正対象書類名】明細書
【補正対象項目名】０００１
【補正方法】変更
【補正の内容】
【０００１】
本技術は車載装置、車載装置の制御方法、制御プログラム、端末装置、端末装置の制御方法および制御プログラムに関する。
【手続補正４】
【補正対象書類名】明細書
【補正対象項目名】０００６
【補正方法】変更
【補正の内容】
【０００６】
上述した課題を解決するために、第１の技術は、車内ネットワークを介して、モードをコンテンツデータを再生するモードに設定するコマンド情報を受信し、受信したコマンド情報に応じて、モードをコンテンツデータを再生するモードに設定し、コンテンツデータを車内ネットワークとは異なる通信から受信し、受信したコンテンツデータを再生し、コンテンツデータを再生するモードに設定したことを示す情報を車載装置に備えられた表示部に表示させる車載装置である。
【手続補正５】
【補正対象書類名】明細書
【補正対象項目名】０００７
【補正方法】変更
【補正の内容】
【０００７】
また、第２の技術は、車内ネットワークを介して、モードをコンテンツデータを再生するモードに設定するコマンド情報を受信し、受信したコマンド情報に応じて、モードをコンテンツデータを再生するモードに設定し、コンテンツデータを車内ネットワークとは異なる通信から受信し、受信したコンテンツデータを再生し、コンテンツデータを再生するモードに設定したことを示す情報を車載装置に備えられた表示部に表示させる車載装置の制御方法である。
【手続補正６】
【補正対象書類名】明細書
【補正対象項目名】０００８
【補正方法】変更
【補正の内容】
【０００８】
また、第３の技術は、車内ネットワークを介して、モードをコンテンツデータを再生するモードに設定するコマンド情報を受信し、受信したコマンド情報に応じて、モードをコンテンツデータを再生するモードに設定し、コンテンツデータを車内ネットワークとは異なる通信から受信し、受信したコンテンツデータを再生し、コンテンツデータを再生するモードに設定したことを示す情報を車載装置に備えられた表示部に表示させる車載装置に対して、車内ネットワークとは異なる通信を介してコンテンツデータを送信する通信部を備える端末装置である。